(57)【要約】【課題】付勢力の大きな雄端子保持用のバネを用いた場合であっても、雄端子を雌端子に容易に挿抜できる雄雌接続構造を提供する。【解決手段】雄雌接続構造１は、雌端子３０と、雄端子１０とを備え、雌端子３０は、雄端子１０に電気的に接続可能なディンプル３６と、ディンプル３６に対向して設けられ、ディンプル３６上に挿入される雄端子１０をディンプル３６側に押圧する雄端子押圧バネと、雄端子押圧バネの形状を変形させて雄端子押圧バネが雌端子３０内に位置した雄端子１０を押圧しない非押圧状態と、雄端子押圧バネの形状を変形させて雄端子押圧バネが雌端子３０内に位置した雄端子１０を押圧する押圧状態とに切り替える押圧切替部とを有し、押圧切替部は、雄端子１０が接続位置まで挿入された場合に、非押圧状態を押圧状態に切り替え、雄端子１０が接続位置から引き抜かれた場合に、押圧状態を非押圧状態に切り替える。【選択図】図１Ａ
2010123480.tif 000002
【特許請求の範囲】
【請求項１】
雌端子と、前記雌端子の接続位置まで挿入されて前記雌端子に電気的に接続し、前記接続位置から引き抜かれて前記雌端子から電気的に切断される雄端子とを備え、
前記雌端子は、
前記雄端子に電気的に接続可能なディンプルと、
前記ディンプルに対向して設けられ、前記ディンプル上に挿入される前記雄端子を前記ディンプル側に押圧する雄端子押圧バネと、
前記雄端子押圧バネの形状を変形させて前記雄端子押圧バネが前記雌端子内に位置した前記雄端子を押圧しない状態である非押圧状態と、前記雄端子押圧バネの形状を変形させて前記雄端子押圧バネが前記雌端子内に位置した前記雄端子を押圧する状態である押圧状態とに切り替える押圧切替部と
を有し、
前記押圧切替部は、
前記雄端子が前記接続位置まで挿入された場合に、前記雌端子へ前記雄端子を挿入する際に加える挿入力を利用して、前記非押圧状態を前記押圧状態に切り替え、
前記雄端子が前記接続位置から引き抜かれた場合に、前記雌端子から前記雄端子を引き抜く際に加える引抜力を利用して、前記押圧状態を前記非押圧状態に切り替える雄雌接続構造。
【請求項２】
前記押圧切替部は、前記雄端子が前記雌端子に挿入される前に前記雄端子押圧バネの端部を係止しているバネ挿入口と、前記バネ挿入口に隣接する位置で前記雄端子の先端部を係止する雄端子挿入口とを含み、
前記バネ挿入口は、前記雄端子挿入口に前記雄端子の先端部が係止され、前記雄端子が挿入される方向である挿入方向に沿って前記接続位置まで移動することにより、係止している前記雄端子押圧バネの端部を開放して前記非押圧状態を前記押圧状態に切り替える請求項１に記載の雄雌接続構造。
【請求項３】
前記バネ挿入口は、前記雄端子挿入口に前記雄端子の先端部が係止され、前記雄端子が引き抜かれる方向である引抜方向に沿って前記接続位置から離れる方向に移動することにより、開放している前記雄端子押圧バネの端部を前記バネ挿入口に係止して前記押圧状態を前記非押圧状態に切り替える請求項２に記載の雄雌接続構造。
【請求項４】
前記押圧切替部は、前記挿入方向及び前記引抜方向に沿って前記雄端子押圧バネに対して移動可能に設けられる請求項３に記載の雄雌接続構造。
【請求項５】
前記押圧切替部は、前記雄端子が前記雌端子に挿入されて前記雄端子挿入口に前記雄端子の前記先端部が係止された後、前記雄端子の前記挿入方向への移動に伴って前記接続位置に向かって移動し、
前記バネ挿入口は、前記雄端子の移動に伴って、係止している前記雄端子押圧バネの端部を前記接続位置において開放する請求項４に記載の雄雌接続構造。
【請求項６】
前記押圧切替部は、前記雄端子の前記引抜方向への移動に伴って移動し、
前記バネ挿入口は、前記雄端子の移動に伴って、前記接続位置から前記引抜方向側に離れた位置において前記雄端子押圧バネの端部を係止する請求項４に記載の雄雌接続構造。
【発明の詳細な説明】
【技術分野】
【０００１】
本発明は、雄雌接続構造に関する。特に、本発明は、大電流通電用の雄雌接続構造に関する。
【背景技術】
【０００２】
従来の雄雌接続構造であるコネクタとして、雄タブを有する雄コネクタハウジングのフード部内に嵌合可能で、かつ雌端子金具を有する雌コネクタハウジングには、ロックアームが設けられ、雄コネクタと雌コネクタとの嵌合動作の開始と共に、ロックアームに設けられた押圧部が、雌端子金具内に設けられた雄タブを弾性的に挟持するための弾性接触片の受け部を押圧することで、雄タブが弾性接触片の接触部に当接する前に、該接触部を押し下げるコネクタが知られている。
【０００３】
特許文献１に記載の雄雌接続構造は、弾性接触片の接触部が、嵌合動作の開始と共に、押圧部による押し下げ動作によって雄タブから離間する方向に弾性変形するので、嵌合抵抗が減少して、挿入力の低減を図ることができる。
【０００４】
【特許文献１】特開２００６−２１６２７２号公報
【発明の開示】
【発明が解決しようとする課題】
【０００５】
しかし、特許文献１に係る雄雌接続構造であるコネクタは、雄コネクタと雌コネクタとの嵌合動作とは別に、作業者がロックアームを用いて、弾性接触片を押圧することで押圧部の押し下げ動作がなされるので、結果として、雄コネクタと雌コネクタとの嵌合動作を容易にすることが困難である。該困難に関し、特に、雄タブ（雄端子）と雌端子金具（雌端子）との嵌合状態に影響を与えるような振動に対する対策として、弾性接触片の付勢力を大きくした場合には、顕著である。なお、上述した課題は、雄端子を雌端子に挿入させる場合であったが、反対の引き抜く場合であっても、同様の課題は存在する。
【０００６】
したがって、本発明の目的は、付勢力の大きな雄端子保持用のバネを用いた場合であっても、雄端子を雌端子に容易に挿抜できる雄雌接続構造を提供することにある。
【課題を解決するための手段】
【０００７】
本発明は、上記目的を達成するため、雌端子と、雌端子の接続位置まで挿入されて雌端子に電気的に接続し、接続位置から引き抜かれて雌端子から電気的に切断される雄端子とを備え、雌端子は、雄端子に電気的に接続可能なディンプルと、ディンプルに対向して設けられ、ディンプル上に挿入される雄端子をディンプル側に押圧する雄端子押圧バネと、雄端子押圧バネの形状を変形させて雄端子押圧バネが雌端子内に位置した雄端子を押圧しない状態である非押圧状態と、雄端子押圧バネの形状を変形させて雄端子押圧バネが雌端子内に位置した雄端子を押圧する状態である雄端子を押圧する状態である押圧状態とに切り替える押圧切替部とを有し、押圧切替部は、雄端子が接続位置まで挿入された場合に、雌端子へ雄端子を挿入する際に加える挿入力を利用して、非押圧状態を押圧状態に切り替え、雄端子が接続位置から引き抜かれた場合に、雌端子から雄端子を引き抜く際に加える引抜力を利用して、押圧状態を非押圧状態に切り替える雄雌接続構造が提供される。
【０００８】
また、上記雄雌接続構造は、押圧切替部は、雄端子が雌端子に挿入される前に雄端子押圧バネの端部を係止しているバネ挿入口と、バネ挿入口に隣接する位置で雄端子の先端部を係止する雄端子挿入口とを含み、バネ挿入口は、雄端子挿入口に雄端子の先端部が係止され、雄端子が挿入される方向である挿入方向に沿って接続位置まで移動することにより、係止している雄端子押圧バネの端部を開放して非押圧状態を押圧状態に切り替えてもよい。
【０００９】
また、上記雄雌接続構造は、バネ挿入口は、雄端子挿入口に雄端子の先端部が係止され、雄端子が引き抜かれる方向である引抜方向に沿って接続位置から離れる方向に移動することにより、開放している雄端子押圧バネの端部をバネ挿入口に係止して押圧状態を非押圧状態に切り替えてもよい。そして、押圧切替部は、挿入方向及び引抜方向に沿って雄端子押圧バネに対して移動可能に設けられてもよい。
【００１０】
また、上記雄雌接続構造は、押圧切替部は、雄端子が雌端子に挿入されて雄端子挿入口に雄端子の先端部が係止された後、雄端子の挿入方向への移動に伴って接続位置に向かって移動し、バネ挿入口は、雄端子の移動に伴って、係止している雄端子押圧バネの端部を接続位置において開放してもよい。
【００１１】
また、上記雄雌接続構造は、押圧切替部は、雄端子の引抜方向への移動に伴って移動し、バネ挿入口は、雄端子の移動に伴って、接続位置から引抜方向側に離れた位置において雄端子押圧バネの端部を係止してもよい。
【発明の効果】
【００１２】
本発明に係る雄雌接続構造によれば、付勢力の大きな雄端子保持用のバネを用いた場合であっても、雄端子を雌端子に容易に挿抜できる雄雌接続構造を提供することができる。
【発明を実施するための最良の形態】
【００１３】
［実施の形態］
図１Ａは、本発明の実施の形態に係る雄雌接続構造の全体の概要を示す。また、図１Ｂは、本発明の実施の形態に係る雄雌接続構造の縦方向の断面の概要を示す。図１Ｃは、本発明の実施の形態に係る雄雌接続構造の横方向の断面の概要を示す。
【００１４】
（雄雌接続構造の概要）
まず、図１Ａを参照すると、本実施の形態に係る雄雌接続構造１は、雄端子１０と、雄端子１０と電気的に接続する雌端子３０とを備える。雌端子３０は、雄端子１０が挿入される箱型状の端子通電部３８と端子通電部３８の一端側に形成され電線（図示しない）を固定して雌端子３０にこの電線を固定するかしめ部３４とを有する端子本体部と、この端子本体部の端子通電部３８と略同一形状であって端子通電部３８に嵌合すると共にツメ部３２ａによって該端子通電部３８に固定される端子ボックス３２とを有する。また、端子ボックス３２は、端子ボックス３２と一体に形成される雄端子押圧バネとしての板バネ２０を含む。また、雄端子１０は、雌端子３０に挿入された場合に、端子ボックス３２及び／又は端子通電部３８の一端に接触するストッパー１８を有する。雄端子１０は、雌端子３０に挿入され、板バネ２０によって雌端子３０に固定されて保持される。
【００１５】
なお、本実施の形態に係る雄雌接続構造１は、一例として、有毒ガスの排出を低減でき、大幅な燃料低減効果のあるＨＥＶ（Ｈｙｂｒｉｄ  Ｅｌｅｃｔｒｉｃ  Ｖｅｈｉｃｌｅ）を駆動するモータとインバータとの間の接続に用いられ、ＨＥＶのシステムによっては１００Ａ以上の大容量の電流が通電される大容量電力ハーネスに用いる場合を示す。より具体的には、大容量電力ハーネスの一端側に設けられる、雄端子１０が収納されるオスハウジングと雌端子３０が収納されるメスハウジングとが嵌合することで構成される二分割式の雄コネクタに採用されている場合を示す。つまり、雌端子３０に挿入されない側の雄端子１０の端部（後述する接続部１２）は、大容量電力ハーネスの雄コネクタの雄端子であり、モータやインバータに挿入される。
【００１６】
図１Ｂは、雄端子１０と雌端子３０とが電気的に接続している状態における雄雌接続構造１の縦方向の断面図である。雌端子３０は、端子通電部３８の内面に雄端子１０に電気的に接続可能なディンプル３６を有している。また、板バネ２０は、ディンプル３６に対向して設けられており、端子ボックス３２（端子通電部３８）に挿入された雄端子１０をディンプル３６側に押圧する押圧部２６を含む。雄端子１０はディンプル３６上であって板バネ２０の押圧部２６の下側に挿入される。なお、詳細は後述するが、雌端子３０は、板バネ２０の形状を板バネ２０が雄端子１０を押圧する状態（押圧状態）である形状と、板バネ２０が雄端子１０を押圧しない状態（非押圧状態）である形状とを切り替える押圧切替部としてのプレート４０を、端子ボックス３２内に有する。
【００１７】
図１Ｃは、雄端子１０と雌端子３０とが電気的に接続している状態における雄雌接続構造１の横方向の断面図である。雄端子１０は、少なくとも端子ボックス３２に挿入される部分が断面コの字状に形成される。そして、雄端子１０は、板バネ２０によって雌端子３０のディンプル３６側に押圧されて雌端子３０に保持されることにより、ディンプル３６に電気的に接続する。
【００１８】
（雄端子１０の詳細）
図２は、本発明の実施の形態に係る雄端子の斜視図である。
【００１９】
本実施の形態に係る雄端子１０は、銅等の高導電材料からなる細長形状の板材から形成される。具体的に、雄端子１０は、一方の端に外部の電気機器に電気的に接続する接続部１２と、接続部１２から他方の端に向けて伸びて設けられる挿入接触部１４と、挿入接触部１４の長手方向に沿って挿入接触部１４の表面に対して略垂直に設けられる側壁部１６と、側壁部１６の端部に設けられるストッパー１８とを有する。ストッパー１８の上面は、側壁部１６の上面の高さ（底板１４ｂからの高さ）より高く設けられる。
【００２０】
また、挿入接触部１４は、接続部１２の反対側の端部（雄端子１０の他方の端）に設けられる先端部１４ａと、接続部１２側から先端部１４ａ側に向かって幅が徐々に狭まるテーパー部１４ｃと、テーパー部１４ｃと先端部１４ａとの間に設けられる底板１４ｂとを含む。なお、側壁部１６は、底板１４ｂの縁及びテーパー部１４ｃの縁に沿って設けられる。そして、先端部１４ａは、後述するプレート４０に係止される係り止め穴１５を含む。
【００２１】
なお、雄端子１０は、導電率が６０％ＩＡＣＳ以上の高導電率材料から形成することができる。また、雄端子１０は、導電率が９３％ＩＡＣＳ以上の高導電率材料から形成することが好ましい。例えば、雄端子１０は、導電率９７％ＩＡＣＳである無酸素銅から形成することができる。なお、「ＩＡＣＳ」とは、Ｉｎｔｅｒｎａｔｉｏｎａｌ  Ａｎｎｅａｌｅｄ  Ｃｏｐｐｅｒ  Ｓｔａｎｄａｒｄ（国際軟銅規格）の略称である。
【００２２】
（雌端子３０の詳細）
図３は、本発明の実施の形態に係る雌端子の横断面を示す。
【００２３】
本実施の形態に係る雌端子３０は、横断面が略ロ状の箱型状に形成される端子ボックス３２と、端子ボックス３２の上部面に形成され、端子ボックス３２の内部に向けて折り曲げ可能なツメ部３２ａと、ツメ部３２ａによって端子ボックス３２内に固定される横断面が略ロ状の箱型状に形成される端子通電部３８と、端子ボックス３２に一体的に設けられる板バネ２０と、端子通電部３８に電気的に接続すると共に板バネ２０に対向して設けられ、挿入される雄端子１０に電気的に接続可能なディンプル３６と、端子ボックス３２の雄端子１０が挿入される側の反対側に設けられるかしめ部３４とを有する。
【００２４】
ここで、板バネ２０は、端子通電部３８に挿入される雄端子１０の底板１４ｂをディンプル３６側（端子ボックス３２の下部面側）に押圧する押圧部２６と、端子ボックス３２の下部面側に凸部を向けた突起部２２ａを含む端部２２とを有する。板バネ２０は、端子ボックス３２の上部面側から下部面側に向かって湾曲部を介して折り返され、端子ボックス３２の上面視における略中央付近まで折り返された部分からかしめ部３４側に向かって緩やかな下り勾配で伸び、ディンプル３６に最近接する押圧部２６から上り勾配で伸びた後、プレート４０に板バネ２０の端部２２が保持されている状態において、プレート４０の表面に略垂直方向に延びる部分を介して突起部２２ａを含む端部２２を有した形状に形成される。そして、板バネ２０は、端子通電部３８に挿入される雄端子１０の底板１４ｂをディンプル３６側に押圧することにより底板１４ｂとディンプル３６とを電気的に接続させると共に、雄端子１０を雌端子３０に固定、保持させる。
【００２５】
そして、雌端子３０は、板バネ２０の端部２２が挿入され、端部２２の突起部２２ａによって板バネ２０を係止する板バネ挿入口４２と、雄端子１０の先端部１４ａが挿入され、係り止め部４４の突起部４４ａによって雄端子１０を係止するオス端子挿入口４６とが設けられたプレート４０を有する。ここで、端子通電部３８は、上部面及び下部面に開口３０ａをそれぞれ有する。そして、プレート４０は、板バネ２０及び端子通電部３８に対して相対的に移動可能に設けられ、端子通電部３８に設けられた開口３０ａにプレート上部及びプレート下部が挿入されると共に、プレート上部及びプレート下部が開口３０ａ開口側壁３０ｂに接触可能に設けられる。なお、プレート上部及びプレート下部についての詳細は、後述する。
【００２６】
本実施の形態において、雄端子１０と雌端子３０とが電気的に接続されていない状態（雄端子１０が雌端子３０に挿入されていない状態を含む）においては、板バネ挿入口４２に板バネ２０の端部２２が挿入され、端部２２の突起部２２ａが板バネ挿入口４２に係止されている。端部２２の突起部２２ａが板バネ挿入口４２に係止されることにより、板バネ２０は、ディンプル３６の表面と押圧部２６の表面との間隔が挿入される雄端子１０（具体的には、底板１４ｂ）の厚さよりも広い形状に維持される。
【００２７】
一方、雄端子１０と雌端子３０とが電気的に接続している状態においては、板バネ挿入口４２から板バネ２０の端部２２が抜けることにより、板バネ２０の端部２２は板バネ挿入口４２から開放される。雄端子１０が雌端子３０の所定の位置まで挿入され、板バネ挿入口４２から板バネ２０の端部２２が開放されると、板バネ２０は、ディンプル３６の表面と押圧部２６の表面との間隔が挿入される雄端子１０（具体的には、底板１４ｂ）の厚さ以下の広さ形状に維持される。この場合において、雄端子１０は、押圧部２６によってディンプル３６側に押さえつけられることになる。
【００２８】
端子通電部３８は、銅等の高導電材料から形成される。具体的に、端子通電部３８は、導電率が６０％ＩＡＣＳ以上の高導電率材料から形成できる。また、端子通電部３８は、導電率が９３％ＩＡＣＳ以上の高導電率材料から形成することが好ましい。例えば、端子通電部３８は、導電率９７％ＩＡＣＳである無酸素銅から形成できる。また、端子通電部３８は、端子通電部３８を形成する材料よりも機械的強度が大きい材料から形成される端子ボックス３２によって覆われ、端子ボックス３２に保持される。ここで、端子ボックス３２及びプレート４０はそれぞれ、応力緩和特性に優れているＳＵＳから形成できる。
【００２９】
（プレート４０の詳細）
図４は、本発明の実施の形態に係るプレートの斜視図である。
【００３０】
本実施の形態に係るプレート４０は、プレート上部４０ａと、プレート上部４０ａの反対側のプレート下部４０ｂと、プレート上部４０ａとプレート下部４０ｂとの間に設けられるバネ挿入口としての板バネ挿入口４２及び板バネ挿入口４２に隣接する位置に設けられる雄端子挿入口４６と、雄端子挿入口４６の板バネ挿入口４２側にプレート４０の表面の法線方向に向けて設けられる係り止め部４４と、平板状の４隅を略直角に折り曲げ加工して形成される４つのガイド部４８とを有する。なお、ガイド部４８は、端子通電部３８の内壁に沿ってプレート４０が移動する際に、プレート４０が端子ボックス３０に対して傾斜することを抑制する。
【００３１】
板バネ挿入口４２は、板バネ２０の端部２２が挿入され、端部２２の突起部２２ａが板バネ挿入口４２に係止されることにより、板バネ２２を保持する。なお、板バネ挿入口４２は、雄端子１０が雌端子３０に挿入される前において、板バネ２０の端部２２を係止している。また、雄端子挿入口４６は、雄端子１０の先端部１４ａが挿入される開口である。そして、先端部１４ａが雄端子挿入口４６に挿入されると、係り止め部４４の突起部４４ａが雄端子１０の係り止め穴１５に係止される。これにより、雄端子１０の先端部１４ａがプレート４０に係止される。
【００３２】
（雄端子１０と雌端子３０との接続方法）
図５は、本発明の実施の形態に係る雌端子に雄端子が挿入される途中の概要を示す。また、図６は、図５の押圧部を部分的に拡大した様子を示す。
【００３３】
まず、雌端子３０に雄端子１０を挿入する場合を説明する。なお、本実施の形態において、雄端子１０を雌端子３０に挿入する方向を挿入方向、雄端子１０を雌端子３０から引き抜く方向を引抜方向という場合がある。例えば、挿入方向及び引抜方向は、雄端子１０の長手方向及び雌端子３０の長手方向に略水平な方向である。また、本実施の形態において、プレート４０は、挿入方向及び引抜方向に沿って、少なくとも板バネ２０に対して移動可能に設けられている。
【００３４】
図５を参照すると、雄端子１０を雌端子３０に挿入する前、及び雄端子１０を雌端子３０に挿入方向に沿って挿入する途中において、板バネ２０の端部２２は、プレート４０の板バネ挿入口４２に係止されている。少なくとも、雄端子１０の先端部１４ａがプレート４０の雄端子挿入口４６に挿入されていない状態において、板バネ２０の端部２２は、板バネ挿入口４２に係止されている。これにより、板バネ２０は、ディンプル３６の表面と押圧部２６の表面との間隔が挿入される雄端子１０（具体的には、底板１４ｂ）の厚さよりも広い形状に変形されて維持される。すなわち、板バネ２０と底板１４ｂとの間に空間が設けられ、板バネ２０が雄端子１０を押圧していない非押圧状態となる形状に板バネ２０は維持される。
【００３５】
図６を参照すると、プレート４０が、非押圧状態となる形状に板バネ２０を維持することにより、底板１４ｂの表面と押圧部２６の表面との間には間隔Ｄの空間が生じている。本実施の形態において、間隔Ｄは、底板１４ｂの厚さより広い。したがって、雄端子１０が挿入方向に沿って後述する接続位置まで挿入されるまで、板バネ２０から雄端子１０（具体的には、底板１４ｂ）に力（付勢力）が加わることはない。
【００３６】
図７は、本発明の実施の形態に係る雌端子に雄端子が挿入され、雄端子の先端部がプレートに保持された状態を示す。また、図８は、図７の押圧部を部分的に拡大した様子を示す。
【００３７】
次に、雄端子１０が雌端子に３０に更に挿入された状態を説明する。この場合、先端部１４ａがプレート４０の雄端子挿入口４６に挿入され、係り止め部４４の突起部４４ａが雄端子１０の係り止め穴１５に係止されることにより、プレート４０に雄端子１０が保持される。すなわち、図５に示す状態から図７に示す状態にまで雄端子１０を雌端子３０に挿入すると、プレート４０のプレート下部４０ｂが開口側壁３０ｂ（雄端子１０が挿入される側に近い側の開口３０ａの側壁）に接した位置の近傍において雄端子１０の先端部１４ａが雄端子挿入口４６に挿入され、係り止め穴１５に係り止め部４４の突起部４４ａが係止される。
【００３８】
この状態においては、板バネ２０の端部２２はプレート４０の板バネ挿入口４２に係止された状態のままである。したがって、図８に示すように、プレート４０が、非押圧状態となる形状に板バネ２０を維持しており、底板１４ｂの表面と押圧部２６の表面との間には間隔Ｄの空間が生じている。係る場合においても、間隔Ｄは、底板１４ｂの厚さより広い。したがって、雄端子１０が後述する接続位置まで挿入されるまで、板バネ２０から底板１４ｂに力が加わることはなく、雄端子１０の底板１４ｂの表面と板バネ２０とが接触すること、及びディンプル３６に底板１４ｂが押し付けられることはない。
【００３９】
図９は、本発明の実施の形態に係る雌端子と雄端子とが電気的に接続した雄雌接続構造の概要を示す。また、図１０は、図９の押圧部を部分的に拡大した様子を示す。
【００４０】
続いて、雄端子１０が雌端子３０に更に挿入されると、係り止め穴１５に係り止め部４４の突起部４４ａが係止されているので、雄端子１０の挿入方向への移動に伴いプレート４０は、プレート上部４０ａ及びプレート下部４０ｂが開口側壁３０ｂから離れる方向に移動する。ここで、プレート４０の板バネ挿入口４２の板バネ２０に対する位置も、雄端子１０の挿入に伴って移動する。そして、板バネ挿入口４２の位置が、板バネ２０の端部２２の突起部２２ａの位置よりも端部２２側に近い位置に移動した場合に、板バネ挿入口４２から突起部２２ａが開放される。これにより、図９に示すように板バネ２０は、プレート４０から開放される。なお、板バネ挿入口４２から突起部２２ａが開放されるプレート４０の位置及び雄端子１０の雌端子３０に対する位置を、接続位置という。
【００４１】
プレート４０が接続位置まで移動することにより板バネ２０はプレート４０から開放される。そして、図１０に示すように、押圧部２６が底板１４ｂに対して圧力を加える形状に板バネ２０は変形する。すなわち、板バネ２０と底板１４ｂとが接触して、板バネ２０が雄端子１０を押圧している押圧状態となる形状に板バネ２０は変形されて維持される（つまり、非押圧状態から押圧状態に切り替わる）。これにより、底板１４ｂとディンプル３６とが電気的に適切に接触して、雄端子１０と雌端子３０とが電気的に接続することになり、雄端子１０と雌端子３０との間に大電流を供給することができる。
【００４２】
図１１は、本発明の実施の形態に係る雄端子が雌端子から引き抜かれる途中の概要を示す。また、図１２は、図１１の押圧部を部分的に拡大した様子を示す。
【００４３】
次に、雄雌接続構造１を構成している雄端子１０及び雌端子３０において、雄端子１０を雌端子３０から引き抜く場合を説明する。係り止め穴１５にプレート４０の係り止め部４４の突起部４４ａが係止されているので、雄端子１０の雌端子３０からの引抜方向に沿った移動に伴い、プレート４０も雄端子１０の移動に追随する。そして、プレート４０の板バネ挿入口４２が接続位置より引抜方向側に離れた位置に到達すると、板バネ挿入口４２に、板バネ２０の端部２２が挿入され、突起部２２ａが板バネ挿入口４２に再び係止される。そして、図１１に示すように、板バネ２０は、押圧状態から非押圧状態となる形状に再び切り替わり、維持される。これにより、雄端子１０は、雌端子３０から電気的に切断される。
【００４４】
この状態においては、図１２に示すように、押圧部２６は底板１４ｂと接触しておらず、間隔Ｄの空間を有する非接触状態となる形状に板バネ２０は維持されており、板バネ２０は底板１４ｂを押圧していない。そして、更に雄端子１０を雌端子３０から引き抜く方向（接続位置から離れる方向であって、かしめ部３４から離れる方向）に移動させると、プレート下部４０ｂが開口側壁３０ｂに突き当たる。プレート下部４０ｂが開口側壁３０ｂに突き当たると、雄端子１０の係り止め穴１５から係り止め部４４の突起部４４ａが抜けることにより、プレート４０から雄端子１０が外れる。これにより、雄端子１０を雌端子３０から引き抜くことができる。
【００４５】
（実施の形態の効果）
本発明の実施の形態に係る雄雌接続構造１は、雄端子１０をディンプル３６側に押し付ける板バネ２０の形状を、雄端子１０の雌端子３０への挿入に応じて押圧状態と非押圧状態との間で自動的に切り替えることのできるプレート４０を雌端子３０が備えるので、すなわち、雄端子１０が接続位置まで挿入された場合に、雌端子３０へ雄端子１０を挿入する際に加える挿入力を利用して、非押圧状態を押圧状態に切り替え、雄端子１０が接続位置から引き抜かれた場合に、雌端子３０から雄端子１０を引き抜く際に加える引抜力を利用して、押圧状態を非押圧状態に切り替える押圧切替部のプレート４０を備えているので、雄端子１０を雌端子３０に挿入する場合、及び雄端子１０を雌端子３０から引き抜く場合において、別途に作業者がロックアーム等を用いて板バネ２０を押圧する押し下げ動作する必要がないと共に、雄端子１０に板バネ２０からの力が加わることを防止することができるため、雄端子１０を雌端子３０に容易に挿抜させることができる。また、雄端子１０の雌端子３０への挿抜時において、雄端子１０の表面及びディンプル３６の表面が摩耗することを抑制できる。
【００４６】
また、本発明の実施の形態に係る雄雌接続構造１は、雄端子１０をディンプル３６に押さえつける力（付勢力）を大きくした板バネ２０を用いることができるので、雄端子１０と雌端子３０のディンプル３６との接点部分の抵抗を低減させることができる。ここで、本実施の形態においては、雄端子１０の雌端子３０への挿抜時において、板バネ２０は雄端子１０をディンプル３６に押さえつけることがないので、雄端子１０の表面及びディンプル３６の表面の摩耗を抑制できると共に、大電流用途に対応した雄雌接続構造１を提供できる。
【００４７】
なお、本実施の形態に係る雄雌接続構造１は、付勢力の大きな板バネ２０を用いることができるので、例えば、振動が多い自動車等のハーネス等に適用できる。
【００４８】
本発明の実施の形態に係る雄雌接続構造１は、雄端子１０の雌端子３０への挿抜時において、底板１４ｂの表面と押圧部２６の表面との間には間隔Ｄの空間が生じていたが、必ずしも間隔Ｄを設ける必要はない。つまり、雄端子１０の雌端子３０への挿抜時に、雄端子１０の表面及びディンプル３６の表面の摩耗を抑制することができる範囲において、押圧部２６が底板１４ｂを押圧しない程度で接触してもよい。
【００４９】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【図面の簡単な説明】
【００５０】
【図１Ａ】本発明の実施の形態に係る雄雌接続構造の全体の概要図である。
【図１Ｂ】本発明の実施の形態に係る雄雌接続構造の縦方向の断面図である。
【図１Ｃ】本発明の実施の形態に係る雄雌接続構造の横方向の断面図である。
【図２】本発明の実施の形態に係る雄端子の斜視図である。
【図３】本発明の実施の形態に係る雌端子の横断面である。
【図４】本発明の実施の形態に係るプレートの斜視図である。
【図５】本発明の実施の形態に係る雌端子に雄端子が挿入される途中の概要図である。
【図６】図５の押圧部を部分的に拡大した部分拡大図である。
【図７】本発明の実施の形態に係る雌端子に雄端子が挿入され、雄端子の先端部がプレートに保持された状態を示す図である。
【図８】図７の押圧部を部分的に拡大した部分拡大図である。
【図９】本発明の実施の形態に係る雌端子と雄端子とが電気的に接続した雄雌接続構造の概要図である。
【図１０】図９の押圧部を部分的に拡大した部分拡大図である。
【図１１】本発明の実施の形態に係る雄端子が雌端子から引き抜かれる途中の概要図である。
【図１２】図１１の押圧部を部分的に拡大した部分拡大図である。
【符号の説明】
【００５１】
１  雄雌接続構造
１０  雄端子
１２  接続部
１４  挿入接触部
１４ａ  先端部
１４ｂ  底板
１４ｃ  テーパー部
１５  係り止め穴
１６  側壁部
１８  ストッパー
２０  板バネ
２２  端部
２２ａ  突起部
２６  押圧部
３０  雌端子
３０ａ  開口
３０ｂ  開口側壁
３２  端子ボックス
３２ａ  ツメ部
３４  かしめ部
３６  ディンプル
３８  端子通電部
４０  プレート
４０ａ  プレート上部
４０ｂ  プレート下部
４２  板バネ挿入口
４４  係り止め部
４４ａ  突起部
４６  雄端子挿入口
４８  ガイド部
【図１Ａ】
2010123480.tif 000003
【図１Ｂ】
2010123480.tif 000004
【図１Ｃ】
2010123480.tif 000005
【図２】
2010123480.tif 000006
【図３】
2010123480.tif 000007
【図４】
2010123480.tif 000008
【図５】
2010123480.tif 000009
【図６】
2010123480.tif 000010
【図７】
2010123480.tif 000011
【図８】
2010123480.tif 000012
【図９】
2010123480.tif 000013
【図１０】
2010123480.tif 000014
【図１１】
2010123480.tif 000015
【図１２】
2010123480.tif 000016